(57)【要約】【課題】故障等により走査体が停止予定位置で停止しなかった場合にでも重要部品であるＣＣＤ基盤が筐体に衝突することを防止できる。【解決手段】上面が開口した箱型の筐体１２と、筐体１２の上面に設けられる原稿載置台１６と、筐体１２の内部に設けられ原稿載置台１６に載置された原稿Ｐに光を照射して原稿Ｐの画像を読み取る走査体２８と、を備えた画像読取装置１０であって、走査体２８の移動方向一方の側壁５２には光信号を電気信号に変換させる撮像手段５４が設けられており、走査体２８又は筐体１２の少なくとも一方には筐体１２又は／及び走査体２８と接触することにより撮像手段５４の筐体１２への衝突を防止する保護部材７８が設けられている構成とした。【選択図】      図２
2005227690.tif 000002
【特許請求の範囲】
【請求項１】
上面が開口した箱型の筐体と、前記筐体の上面に設けられる原稿載置台と、前記筐体の内部に設けられ前記原稿載置台に載置された原稿に光を照射して原稿の画像を読み取る走査体と、を備えた画像読取装置であって、
前記走査体の移動方向一方の側壁には、光信号を電気信号に変換させる撮像手段が設けられており、
前記走査体又は前記筐体の少なくとも一方には、前記筐体又は／及び前記走査体と接触することにより前記撮像手段の前記筐体への衝突を防止する保護部材が設けられていることを特徴とする画像読取装置。
【請求項２】
前記保護部材は、前記走査体の前記撮像手段が設けられた前記側壁の外側に形成された突部であり、前記突部の長さは前記撮像手段の前記走査体からの突出長さよりも長いことを特徴とする請求項１に記載の画像読取装置。
【請求項３】
前記保護部材は、前記走査体の前記撮像手段が設けられた前記側壁に対向する前記筐体の一側壁に形成された突部であり、前記突部の長さは前記撮像手段の前記走査体からの突出長さよりも長いことを特徴とする請求項１又は２に記載の画像読取装置。
【発明の詳細な説明】
【技術分野】
【０００１】
本発明は、光源、ミラー、レンズ、ＣＣＤ基盤等を備えるワンキャリジ方式の走査体を移動させて原稿の画像を読み取る原稿読取部を備えた画像読取装置に関する。
【背景技術】
【０００２】
従来のワンキャリジ方式の原稿読取部を備えた画像読取装置は、上面が開口した箱型の筐体を備えている。また、筐体の上面には透明ガラスからなるプラテンガラスが配置されている。また、筐体の内部にはプラテンガラスの下面に沿って走査方向に移動可能となるように走査体が配置されている。この走査体は光源、ミラー、レンズ、ＣＣＤ基盤、位置検出センサ等を備えている。さらに、筐体の内部には走査体を原稿の長手方向に往復移動させるためのステッピングモータと、ステッピングモータから走査体に移動のための駆動力を伝達する駆動軸及びベルト等が配置されている。
【０００３】
上記画像読取装置によれば、ステッピングモータの駆動力を駆動軸を介してベルトに伝達させる。走査体は、ベルトにより駆動力を伝えられスタート位置からプラテンガラスの下面に沿って走査方向に移動させられる。
また、走査体は、移動しながらプラテンガラスの下からプラテンガラス上の原稿の画像面に光源の光を照射させる。同時に、走査体は、原稿から受けた反射光を複数のミラーを介して反射させ、この光をレンズによりＣＣＤ基盤に向けて結像させる。ＣＣＤ基盤がこの光信号を電気信号に変換させて原稿の画像が読み取られる。
原稿の画像読取終了後には、走査体をスタート位置方向に移動させる。走査体がスタート位置に到達し、位置検出センサでスタート位置が検出されるとステッピングモータを停止させ、走査体をスタート位置に停止させる。
【０００４】
【特許文献１】特開２００１−５１２１号公報
【特許文献２】特開２００２−２３６３２７号公報
【発明の開示】
【発明が解決しようとする課題】
【０００５】
ところで、上記画像読取装置のＣＣＤ基盤は、画像の読み取り品質に大きな影響を与える重要部品であり、ワンキャリジ方式の走査体ではＣＣＤ基盤が走査体の側壁に設けられる。
よって、走査体の走査の終了時、もしくは、スタート位置への移動時に、位置検出センサの故障やステッピングモータの制御不良等のトラブルが生じると、走査体はスタート位置で停止せずに移動し続け、その側壁に設けられているＣＣＤ基盤が筐体に衝突してＣＣＤ基盤の位置がずれてしまう問題がある。
【０００６】
そこで、本発明は、上記事情を考慮し、故障等により走査体が停止予定位置で停止しなかった場合にでも重要部品であるＣＣＤ基盤が筐体に衝突することを防止できる画像読取装置を提供することを目的とする。
【課題を解決するための手段】
【０００７】
請求項１に記載の発明は、上面が開口した箱型の筐体と、前記筐体の上面に設けられる原稿載置台と、前記筐体の内部に設けられ前記原稿載置台に載置された原稿に光を照射して原稿の画像を読み取る走査体と、を備えた画像読取装置であって、前記走査体の移動方向一方の側壁には、光信号を電気信号に変換させる撮像手段が設けられており、前記走査体又は前記筐体の少なくとも一方には、前記筐体又は／及び前記走査体と接触することにより前記撮像手段の前記筐体への衝突を防止する保護部材が設けられていることを特徴とする。
【０００８】
請求項１に記載の発明よれば、筐体上面の原稿載置台に原稿の画像面を走査体に向けて原稿を載置し、走査体を原稿の長手方向に原稿と平行に移動させる。原稿の画像面に走査体から光が照射され、原稿から反射する反射光が撮像手段に入射する。撮像手段では光信号が電気信号に変換されて原稿の画像が読み取られる。
原稿の画像読取終了後、走査体をスタート位置方向に移動させる。走査体がスタート位置に到達したところで走査体を停止させる。
このとき、走査体の位置検出センサの故障、制御不良等で走査体が停止せず、走査体が停止を予定していたスタート位置を越えて移動し続けた場合でも、走査体に設けられた保護部材が筐体に接触することにより撮像手段の筐体への衝突が防止される。
なお、保護部材が筐体に設けられている場合には保護部材が走査体と接触することにより撮像手段が保護され、保護部材が走査体と筐体の両方にそれぞれ設けられている場合には保護部材が走査体及び筐体と接触することにより撮像手段が保護される。
【０００９】
請求項２に記載の発明は、請求項１に記載の画像読取装置において、前記保護部材は、前記走査体の前記撮像手段が設けられた前記側壁の外側に形成された突部であり、前記突部の長さは前記撮像手段の前記走査体からの突出長さよりも長いことを特徴とする。
【００１０】
請求項２に記載の発明よれば、走査体の位置検出センサの故障、制御不良等で走査体が停止せず、走査体が停止を予定していたスタート位置を越えて移動した場合でも、突部の長さは撮像手段の走査体からの突出長さよりも長いため、撮像手段が筐体に衝突する前に走査体の突部が筐体に接触し、それ以上の走査体の移動が規制される。これによって撮像手段の筐体への衝突が防止される。
【００１１】
請求項３に記載の発明は、請求項１又は２に記載の画像読取装置において、前記保護部材は、前記走査体の前記撮像手段が設けられた前記側壁に対向する前記筐体の一側壁に形成された突部であり、前記突部の長さは前記撮像手段の前記走査体からの突出長さよりも長いことを特徴とする。
【００１２】
請求項３に記載の発明よれば、走査体の位置検出センサの故障、制御不良等で走査体が停止せず、走査体が停止を予定していたスタート位置を越えて移動した場合でも、突部の長さは撮像手段の走査体からの突出長さよりも長いため、撮像手段が筐体に衝突する前に筐体の突部が走査体の撮像手段以外の一部に接触し、それ以上の走査体の移動が規制される。これによって撮像手段の筐体への衝突が防止される。
【発明の効果】
【００１３】
請求項１に記載の発明は、走査体の位置検出センサの故障、制御不良等で走査体が停止せず、走査体が停止を予定していたスタート位置を越えて移動し続けた場合でも、走査体又は筐体の少なくとも一方に設けられた保護部材が筐体又は／及び走査体と接触することにより撮像手段の筐体への衝突を防止できる。
【００１４】
請求項２に記載の発明は、走査体の位置検出センサの故障、制御不良等で走査体が停止せず、走査体が停止を予定していたスタート位置を越えて移動した場合でも、突部の長さは撮像手段の走査体からの突出長さよりも長いため、撮像手段が筐体に衝突する前に走査体の突部が筐体に接触してそれ以上の走査体の移動が規制され、撮像手段の筐体への衝突を防止できる。
【００１５】
請求項３に記載の発明は、走査体の位置検出センサの故障、制御不良等で走査体が停止せず、走査体が停止を予定していたスタート位置を越えて移動した場合でも、突部の長さは撮像手段の走査体からの突出長さよりも長いため、撮像手段が筐体に衝突する前に筐体の突部が走査体の撮像手段以外の一部に接触してそれ以上の走査体の移動が規制され、撮像手段の筐体への衝突を防止できる。
【発明を実施するための最良の形態】
【００１６】
次に、本発明の一実施形態に係る画像読取装置について、図面を参照して説明する。
図１乃至図３に示すように、画像読取装置１０は、上面が開口した箱型の筐体１２を備えている。この筐体１２の上面１４には透明ガラスからなるプラテンガラス１６（原稿載置台）が配置されている。
筐体内部１８には、原稿読取部２６をガイドするためのガイドロッド２０と、上面に原稿読取部２６との摺動平面２２を備えたガイドレール２４と、がプラテンガラス１６に対して平行に配置されている。
【００１７】
ここで、原稿読取部２６は、後述の走査体２８と、プラテンガラス１６に載置した原稿Ｐに光を照射する後述の光源３８と、後述のＣＣＤ基盤５４（撮像手段）に原稿Ｐからの反射光を導くための第１ミラー４２、第２ミラー４４、第３ミラー４６、及び第４ミラー４８と、第1から第４の各ミラー４２、４４、４６、４８によって導かれた反射光を集光させる後述のレンズ５０と、レンズ５０からの光を受けて光信号を電気信号に変換させる後述のＣＣＤ基盤５４と、で構成されている。
【００１８】
走査体２８は、走査方向（図１及び図２中矢印Ｘ方向側）と直角の方向に延在するように配置されている。
走査体２８の幅方向の一方の端部近傍にはガイドロッド２０が貫通している。また、走査体２８の幅方向の他方の端部近傍の底部３２はガイドレール２４の摺動平面２２に走査方向（図１及び図２中矢印Ｘ方向側）に移動可能となるように接触されている。
これにより、走査体２８がプラテンガラス１６に平行な状態で走査方向（図１及び図２中矢印Ｘ方向側）に移動することが可能となる。
【００１９】
図２及び図３に示すように、走査体２８の上面にはスリット壁３６が形成されている。また、スリット壁３６には、スリット壁３６の長手方向に延在して反射光を走査体内部４０に導くためのスリット３４が形成されている。また、スリット壁３６の上面には光源３８が設けられている。
走査体内部４０には、第１ミラー４２、第２ミラー４４、第３ミラー４６、第４ミラー４８がそれぞれ設けられている。また、レンズ５０が原稿Ｐからの反射光の経路Ｌ上に設けられている。
走査体２８の戻り方向（図３中矢印Ｙ方向側）に対して垂直方向に延びる走査体２８の一方の側壁５２には、ＣＣＤ基盤５４がその一部を走査体２８の外側に露出させた状態で設けられている。
また、走査体２８の底部５６には対向する筐体底部５８に向けて走査体２８のスタート位置にあたる停止位置Ｓを検出するための位置検出センサ６０が配置されている。さらに、筐体底部５８には、位置検出センサ６０により検出される検出片６２が配置されている。
【００２０】
図１及び図２に示すように、筐体内部１８のガイドロッド２０の一方の端部近傍には、走査体２８を往復移動させるための駆動源としてのステッピングモータ６４が配置されている。ステッピングモータ６４には、駆動力を伝達するための駆動軸６６が接続されている。この駆動軸６６には、プーリ６８が固定されている。
また、ガイドロッド２０の他方の端部近傍には、従動プーリ７０が回転可能に配置されている。さらに、駆動力が伝達されるプーリ６８と従動プーリ７０とにはベルト７４が巻き掛けられている。また、ベルト７４の一部には走査体２８が固定されている。
【００２１】
図１乃至図３に示すように、筐体内部１８には、筐体１２の底部５８から起立させた経路壁８０によりハーネスＨを通すためのハーネス経路７６が形成されている。経路壁８０は、走査体２８の側壁５２に対向する筐体１２の一方の端面に沿って平行に形成されている。
この経路壁８０の一部には、走査体２８に向けて突出した衝突防止用のリブ７８（保護部材、突部）が一体形成されている。リブ７８の経路壁８０からの突出長さＬＲは、走査体２８から突出しているＣＣＤ基盤５４の走査体２８からの突出長さＬＣよりも長くなるように設定されている。
また、リブ７８の底部５８からの高さは、ガイドロッド２０が配置されている高さよりも高くなるように設定されている。これにより、走査体２８とリブ７８が衝突した場合でも、走査体２８の姿勢を安定させることができる。
【００２２】
次に、本発明の一実施形態に係る画像読取装置１０の作用について説明する。
画像読取装置１０によれば、ステッピングモータ６４の駆動力は、駆動軸６６とプーリ６８を介してプーリ６８に巻き掛けられているベルト７４に伝えられる。ベルト７４の一部が走査体２８に固定されているため、ベルト７４の駆動によって走査体２８が移動する。このとき、走査体２８は、ガイドロッド２０とガイドレール２４によってガイドされプラテンガラス１６との平行を保ちながら走査方向（図１中矢印Ｘ方向側）に移動する。
【００２３】
原稿Ｐの画像の読取では、先ず光源３８からプラテンガラス１６に載置された原稿Ｐに向けて光が照射され、この光が原稿Ｐで反射され、この反射光が走査体２８のスリット３４を通して走査体内部４０に進入する。さらに、走査体内部４０に進入した反射光が、第１ミラー４２、第２ミラー４４、第３ミラー４６、第４ミラー４８によって反射され、レンズ５０で集光される。レンズ５０で集光された反射光はＣＣＤ基盤５４に入射し、ＣＣＤ基盤５４において光信号が電気信号に変換される。これにより原稿Ｐの画像が読み取られる。
【００２４】
原稿Ｐの画像の読取終了後には、走査体２８をスタート位置Ｓに向けて戻り方向（図３中矢印Ｙ方向側）へ移動させる。
走査体２８がスタート位置Ｓに到達すると、位置検出センサ６０が検出片６２を検出する。位置検出センサ６０が検出片６２を検出すると、ステッピングモータ６４の駆動が停止され、走査体２８がスタート位置Ｓに停止する。
【００２５】
ここで、走査体２８の位置検出センサ６０の故障、制御不良等で走査体２８が停止せず、走査体２８が停止を予定していたスタート位置Ｓを越えて戻り方向（図３中矢印Ｙ方向側）に移動し続けた場合には、リブ７８の経路壁８０からの突出長さＬＲが走査体２８から突出しているＣＣＤ基盤５４の走査体２８からの突出長さＬＣよりも長くなるように設定されているため、ＣＣＤ基盤５４が筐体１２に衝突する前に、リブ７８が走査体２８の側壁５２に接触する。これにより、走査体２８の戻り方向（図３中矢印Ｙ方向側）へのさらなる移動が規制され、ＣＣＤ基盤５４が筐体１２に衝突してしまうことを防止できる。
【００２６】
なお、上記実施形態の画像読取装置１０では、一つのリブ７８が形成された構成を例にとり説明したが、これに限られることはなく、リブ７８は経路壁８０に複数設けられていても良い。
【００２７】
また、上記実施形態の画像読取装置１０では、筐体１２にリブ７８を設けた構成を例に取り説明したが、この形態に限られるものではなく、リブ７８に替えて走査体２８に突部（図示省略）を設けた構成でも良い。この突部としては、たとえば、走査体２８の一部を任意の形状で戻り方向（図２中矢印Ｙ方向側）に向けて突出させて一体形成するようにしてもよい。さらに、リブ７８と突部（図示省略）の両方をそれぞれ設けた構成にしてもよい。
【図面の簡単な説明】
【００２８】
【図１】本発明の一実施形態に係る画像読取装置の側面図である。
【図２】本発明の一実施形態に係る画像読取装置の平面図である。
【図３】本発明の一実施形態に係る画像読取装置の部分的な断面図である。
【符号の説明】
【００２９】
１０  画像読取装置
１２  筐体
１６  プラテンガラス（原稿載置台）
２８  走査体
５２  側壁
５４  ＣＣＤ基盤（撮像手段）
７８  リブ（保護部材、突部）
Ｐ    原稿
【図１】
2005227690.tif 000003
【図２】
2005227690.tif 000004
【図３】
2005227690.tif 000005